(57)【特許請求の範囲】
【請求項１】
水路上に架設した支持台の上面に、左右１対として配設した軸支持体の間に、水車筐体の上面に固定した吊支体の上部を、水平の吊軸を介して垂直に掛吊って設置し、水平の吊軸を中心に水車筐体が回転可能、かつ支持台上に引揚げ可能としてなることを特徴とする水力発電装置。   
【請求項２】
前記軸支持体の上面の前後の中央部には、下向きの軸受溝を形成し、これに上方から挿入する吊支体の上縁部における水平の吊軸を支持するようになっていることを特徴とする請求項１に記載の水力発電装置。                    
【請求項３】
前記吊支体の上面に、水車筐体を吊下げるためのフックが形成されていることを特徴とする請求項１または２に記載の水力発電装置。
【請求項４】
前記吊支体の上部には、水平の吊軸を中心に、水車筐体を揺動させるための梃子杆が着脱可能に装着されていることを特徴とする前記１〜３のいずれかに記載の水力発電装置。
【発明の詳細な説明】
【技術分野】
【０００１】
本発明は、設置の作業性と、設置後の保守管理に優れた水力発電装置に関する。
【背景技術】
【０００２】
用水路に吊設される水力発電機としては、水路の両岸の間に横架した吊桁に、水車を吊設してあるものが一般的である。この場合、水路上での水車の吊設作業には、地形的に困難が伴うものであるが、例えば、水車をワイヤで吊って、上下動させるようにしたものが、特許文献１に記載されている。
【先行技術文献】
【特許文献】
【０００３】
【特許文献１】特開２０１５−１４２１９号公報
【発明の概要】
【発明が解決しようとする課題】
【０００４】
特許文献１に記載されているような手法では、水路上に架設した支持部材の上に、支持柱を立設してプーリを配し、離れた位置に別の支持柱を設けてプーリを配し、両プーリの間にワイヤを巻回し、ワイヤの前端を水車の吊柱の上端に連結し、後端に重錘を配設して、水車をプーリに吊設するものである。
しかし、このものにおいては、プーリの取付作業は面倒であり、また、水車を水中に降下させる作業も容易ではない。更に水車を支持部材の上に引揚げる作業は困難である。
本発明は、水車の吊設作業が容易で、更に水車を水面上に引揚げて、保守管理を容易にすることができるようにした水力発電装置を提供することを目的としている。
【課題を解決するための手段】
【０００５】
本発明の具体的な内容は、次の通りである。
【０００６】
（１） 水路上に架設した支持台に、左右１対で配設した軸支持体の間に、水車筐体の上面に固定した吊支体の上部を、水平な吊軸を介して垂直に掛吊って設置し、吊軸を中心に水車筐体が回転可能、かつ支持台の上に引揚げ可能としてなる水力発電装置。   
【０００７】
（２）  前記軸支持体の上面の前後の中央部には、下向きの軸受溝が形成され、上方から挿入する吊支体の上縁部における水平の吊軸を支持するようになっている前記（1）に記載の水力発電装置。                    
【０００８】
（３）  前記吊支体の上面に、水車筐体を吊下げるためのフックが形成されている前記（1）または（2）に記載の水力発電装置。
【０００９】
（４） 前記吊支体の上部には、水平の吊軸を中心に、水車筐体を揺動させるための梃子杆が着脱可能に装着されるようになっている前記（1）〜（3）のいずれかに記載の水力発電装置。    
【発明の効果】
【００１０】
本発明によると、次のような効果が奏せられる。
【００１１】
前記（1）に記載の発明は、水車筐体の上面に固定した吊支体の上部を、水平の吊軸を介して軸支持体に掛吊るので、設置が容易である。
また、水平の吊軸を支点として、水車筐体を回転させて用水路の上に引揚げることができるので、保守管理が容易である。
【００１２】
前記（2）に記載の発明は、水路上に架設した支持台に、左右一対で配設した軸支持体の上面の前後の中央部に、下向きの軸受溝が形成され、吊支体の上縁部における水平の吊軸を、上から挿入して支持するようになっているので、吊掛けが容易である。また取外しも容易で、水車筐体を揺動させることも容易である。
【００１３】
前記（3）に記載の発明は、吊支体の上面に、水車筐体を吊下げるためのフックが形成されているので、フックにクレーンの吊索をかけて移動させたり、担ぎ棒をフックにかけて人が担いで移動させることができる。  
【００１４】
前記（4）に記載の発明は、水車筐体上の吊支体の上部には、水平の吊軸を中心に、水車筐体を揺動させるための梃子杆が着脱可能に装着させるので、梃子杆を傾倒させることによって、吊支体の下にある水車筐体を、水平の吊軸を支点として揺動させて、水中から引揚げることができる。  
【図面の簡単な説明】
【００１５】
【図１】本発明の一実施形態の平面図である。
【図２】図１におけるII−II線縦断側面図である。
【図３】図１における吊支体上部に梃子杆を取付けた状態の側面図である。
【図４】梃子杆を傾倒させて水車筐体を引揚げた状態の側面図である。
【図５】梃子杆を傾倒させる牽引装置の背面図である。
【図６】図５におけるVI−VI線縦断面図である。
【発明を実施するための形態】
【００１６】
以下本発明の実施形態を、図面を参照して説明する。
図１、図２に示すように、水力発電装置１は、用水路Ｒの上縁に架設された支持台２に吊設されている。
【００１７】
支持台２は、水車や人の重量に耐えられる厚さのある方形の板状のもので、その左右方向の中央部には、水車筐体３の通過が可能な形状と寸法の貫通孔２Ａが穿設され、その上流側の端部には、水車筐体３を吊るための吊支体４を嵌合しうる設置部２Ｂが連設されている。
【００１８】
貫通孔２Ａの下流側２Ｃは、ロータ５の出入りが可能な形状と寸法とされている。設置部２Ｂから下流側２Ｃまでの長さは、図２に示す吊支体４の上端部における水平の吊軸７を中心に、水車筐体３の前端が、支持台２の上に出るまで回転可能な長さとしてある。
【００１９】
前記設置部２Ｂの左右において支持台２上に、左右１対の軸支持体８、８が立設されている。軸支持体８の上面の前後の中央部に、Ｕ字状の軸受溝９、９が形成され、その溝底に、吊体４の水平の吊軸７が回転可能に支持されるようになっている。
【００２０】
水車筐体３の内部には、図示しない発電機が配設され、その回転軸に連結されているロータ軸５Ａの後端部は、水車筐体３から後方に突出し、その端部にロータ５が固定されている。ロータ５は、ハブに複数の揚力型ロータブレード６を固定してなり、揚力型ブレード６の翼端は、上流方向へ傾斜する傾斜部６Ａとされている。
【００２１】
水車筐体３の上面には、中空の吊支体４が垂直に固定されている。水車筐体３内に設けた図示しない発電機の出力コード11は、吊支体４の内部を通って、吊支体４の上縁部から外部に突出し、その先端は、支持台２上に配設された蓄電池10に連結されている。
【００２２】
吊支体４の長さは、設置する用水路Ｒにおいて、支持台２から水車筐体３を、水中に配設できる適度の長さとされている。吊支体４の上縁部には、左右方向へ突出する水平の吊軸７が固定されている。また吊支体４の上端部には、水車筐体３を吊下げるためのフック12が固定されている。
【００２３】
前記支持台２を用水路Ｒに設置した後、用水路Ｒの近くに置いてあった水車筐体３における吊支体４を上向きとし、フック12に、例えばワイヤをかけて、クレーンで吊上げ、貫通孔２Ａまで移動させる。水車筐体３が小型で軽量の場合には、フック12に図示しない担ぎ棒を当てて、２人で担ぐことができる。
【００２４】
水車筐体３を、貫通孔２Ａから水中に降下させながら、吊支体４を設置部２Ｂまで移動させて、吊支体４の上縁部に設けてある水平の吊軸７を、軸支持体８の上面に設けてあるＵ形の軸受溝９に落し込み、軸支持体８における固定ピン８Ａにより、吊支体４を揺動しないように固定する。
【００２５】
吊支体４から出ている出力コード11の先端を、支持台２上の蓄電池10に接続させ、しかる後、水車筐体３内の図示しない発電機の回転軸とロータ軸５Ａとの間の、図示しない電磁式クラッチを作動させると、ロータ５の回転に伴って、発電機は発電を開始する。
【００２６】
このようにして、水車筐体３を、短時間で容易に用水路Ｒに配設することができる。また発電機などの保守管理をする時には、図示しない電磁式クラッチをオフにして発電を停止させ、軸支持体８における固定ピン８Ａを外して、フック12にワイヤをかけてクレーンで吊り、水車筐体３を、支持台２の貫通孔２Ａを経て支持台２の上に引揚げる。
【００２７】
水車筐体３が軽量な時には、フック12に担ぎ棒を掛けて、２人で引揚げることができる。水車筐体３には、用水路Ｒにおける流水の力が作用しているので、図２に仮想線で示すような固定杆13を、吊支体４の左右と支持台２との間に設けることもある。
【００２８】
図３は、吊支体４の上部に、梃子杆14を着脱可能に取着けた状態を示す側面図である。梃子杆14は、吊支体４の高さよりも長く、その下部には、吊支体４の上縁に外嵌可能な挾部14Ｂを持つ二又部14Ａが形成されている。
【００２９】
吊支体４の水平の吊軸７を、軸支持体８の軸受溝９に落し込んだ時、水車筐体３は、用水路Ｒの水流で下流へ押されるため、図３における梃子杆14の上部を、同図の右方向へ引きながら、固定ピン８Ａの位置を確かめて固定する。その後、梃子杆14は、取外して、他の場所で使用するか、保管される。
【００３０】
また、図３において、固定ピン８Ａを抜いて、梃子杆14の上縁を図３における左方向へ押し倒すと、図４に示すように、水平の吊軸７を中心として、水車筐体３を、支持台２の上まで押上げることができる。その後は、図４に示すように、支持台２の貫通孔２Ａの上に治具15を横架して、吊支体４を支持させ、水車筐体３の内部やロータ５の保守点検をすることができる。
【００３１】
図５は、図３に示すように、梃子杆14の上縁部に固定してある牽引索取付具14Ｃに、ー端を固定した牽引索16を牽引して、梃子杆14を傾倒させ、水車筐体３を支持台２上に引揚げるための牽引装置17を示している。
【００３２】
牽引装置17の台座18の下面に突設してある嵌合突体18Ａを、支持台２に形成した嵌装孔２Ｄに着脱可能に嵌合させて、１対の軸支持体19、19を立設させる。これにより、牽引装置17は、必要に応じて支持台２に固定することができる。軸支持体19に横架された支持軸20に、ワイヤ16を巻取るための巻輪21が、回転可能に装着されている。
【００３３】
巻輪21には、ラチェットの爪車22が同軸で固定されている。爪車22と並んで、同軸で揺動可能に立設された作動杆23に設けた押爪24の先端は、爪車22の爪歯22Ａと係合し、作動杆23の前後揺動によって、爪車22を一駒づつ回転させるようになっており、台座18に設けた戻止爪25により、爪車22の逆回転が抑止されるようになっている。
【００３４】
図３に示す梃子杆14を、手作業で傾倒出来ない場合には、牽引索取付部14Ｃに牽引索16を取付け、その先端部を図５における巻輪21に固定する。しかる後、図６に示す作動杆23を前後に揺動することによって、ラチェット機構によって牽引索16を巻輪21に巻取ることができる。
【００３５】
巻輪21に牽引索16が巻取られることによって、図３における梃子杆14は次第に図３の左方向に傾倒し、図２における水車筐体３が、水平の吊軸７を支点として回転して支持台２まで上昇するので、図４に示す治具15によって、支持台２上に吊支体４を保持して、水車筐体３内やロータ５の保守点検を行なうことができる。
【００３６】
水車筐体３を水中に戻すには、図６における作動杆23の押爪24を、爪車22の爪歯22Ａ１個分ほど後退させ、戻止爪25のペタル25Ａを踏むことにより、爪車22が１爪分後退回転させる。
【００３７】
これを連続して継続することによって、図３における梃子杆14を直立方向へ戻すことができ、水車筐体３を緩やかに降下させ、次第に水中に没設させることができる。前記梃子杆14や牽引装置17は、作業現場に携帯すればよいので、水車の設置現場に様々な装置を設置しておく必要がなくなる。
【００３８】
なお、図においては、水力発電機１を水路の上下流方向で回転させるように記載されているが、水路の幅が広い所などでは、水路幅方向に回転させることができるのは当然である。
【産業上の利用可能性】
【００３９】
水車筐体の上面に形成した吊柱体を、水平の吊軸を介して軸支持体に掛吊るだけであるので、水車の設置が容易で、かつ水中から引揚げることも容易なので、保守管理が容易で、用水路での水力発電装置に高い利用効果が得られる。
【符号の説明】
【００４０】
１．水力発電装置
２．支持台
２Ａ．貫通孔
２Ｂ．設置部
２Ｃ．下流側
２Ｄ．嵌合孔
３．水車筐体
４．吊支体
５．ロータ
５Ａ．ロータ軸
６．揚力型ブレード
６Ａ．傾斜部
７．吊軸
８．軸支持体
８Ａ．固定ピン
９．軸受溝
10. 蓄電池
11．コード
12．フック
13．固定杆
14．梃子杆
14Ａ．二又部
14Ｂ．挾部
14Ｃ．牽引索取付具
15．治具
16．牽引索
17．牽引装置
18．台座
18Ａ．嵌合突体
19．軸支持体
20．支持軸
21．巻輪
22．爪車
22Ａ．爪歯
23．作動杆
24．押爪
25．戻止爪
25Ａ．ペタル
Ｒ．用水路
【図１】
0006674808.tif 000002
【図２】
0006674808.tif 000003
【図３】
0006674808.tif 000004
【図４】
0006674808.tif 000005
【図５】
0006674808.tif 000006
【図６】
0006674808.tif 000007